(57)【要約】【課題】  簡単な構造で、鍵盤蓋の開閉操作が容易にでき、且つ楽器全体の小型化をも図ることができる鍵盤蓋の開閉装置を提供する。【解決手段】  鍵盤蓋１０の後端部に設けられた支持軸１１と、楽器本体１の後部側面にその後部下側に向けて傾斜した状態で設けられて支持軸１１を移動可能にガイドする軸ガイド溝１３と、楽器本体１の後端上部に設けられて鍵盤蓋１０の開閉動作をガイドする蓋ガイド部１７とを備えた。従って、鍵盤蓋１０を所定角度に開く際に、蓋ガイド部１７によって軸ガイド溝１３の第１支点部１４に位置する支持軸１１を中心に鍵盤蓋１０を回動させることができ、また鍵盤蓋１０が所定角度に開くと、支持軸１１を軸ガイド溝１３に沿って斜め後側下部に移動させて第２支点部１５に当接させるこができ、この状態で第２支点部１５に位置する支持軸１１を中心に鍵盤蓋１０を開く方向に回動させて斜め後方に傾斜させた状態で起立させることができる。【選択図】        図５
2010286634.tif 000002
【特許請求の範囲】
【請求項１】
楽器本体内に設けられた鍵盤部を開閉自在に覆う鍵盤蓋の開閉装置において、
前記鍵盤蓋の後端部に設けられて前記楽器本体内の側面に向けて突出する支持軸と、前記楽器本体内の側面後部にその後部下側に向けて傾斜した状態で設けられて前記支持軸を移動可能にガイドするための軸ガイド部と、前記楽器本体の後端上部に設けられて前記鍵盤蓋の開閉動作をガイドするための蓋ガイド部とを備え、
前記軸ガイド部は、その上端部に位置して前記鍵盤蓋を閉じた状態から所定角度に開く際に前記支持軸を回動可能に位置規制する第１支点部と、前記軸ガイド部の下端部に位置して前記鍵盤蓋が前記所定角度に開いて前記支持軸が前記軸ガイド部に沿って斜め後側下部に移動した際に当接して前記支持軸を回動可能に保持し、この状態で前記鍵盤蓋を斜め後方に傾斜させて起立させるための第２支点部とを備えていることを特徴とする鍵盤蓋の開閉装置。
【請求項２】
前記楽器本体の後端部には、前記鍵盤蓋が前記第２支点部に位置する前記支持軸を中心に開く方向に回動して斜め後方に傾斜した状態で起立した際に、前記鍵盤蓋の後端部が当接するストッパ部が設けられていることを特徴とする請求項１に記載の鍵盤蓋の開閉装置。
【請求項３】
前記蓋ガイド部は、前記鍵盤蓋を閉じた状態から前記所定角度に開く際に、前記鍵盤蓋の後部側の内面をガイドしながら前記支持軸を前記軸ガイド部の前記第１支点部に位置規制し、この位置規制された前記支持軸を中心に前記鍵盤蓋を開く方向に回動させるための第１角部と、前記鍵盤蓋が前記所定角度に開いた際に、前記支持軸を前記軸ガイド部に沿って斜め後側下部に移動させて前記軸ガイド部の前記第２支点部に到達させるための傾斜面とを備えていることを特徴とする請求項１または請求項２に記載の鍵盤蓋の開閉装置。
【請求項４】
前記蓋ガイド部は、前記鍵盤蓋が斜め後方に傾斜して起立した状態から前記鍵盤蓋が前記軸ガイド部の前記第２支点部に位置する前記支持軸を中心に回動して閉じる際に、前記鍵盤蓋の後部側の内面をガイドしながら前記鍵盤蓋を閉じる方向に回動移動させることにより、斜め上方に向けて徐々に押上げられた前記鍵盤蓋の後部側の内面を前記蓋ガイド部の前記傾斜面に対面させるための第２角部を更に備えていることを特徴とする請求項３に記載の鍵盤蓋の開閉装置。
【請求項５】
前記鍵盤蓋を前記楽器本体に対して開閉する際に、前記鍵盤蓋の開閉動作を制動するためのダンパ装置を更に備えていることを特徴とする請求項１〜請求項４のいずれかに記載の鍵盤蓋の開閉装置。
【発明の詳細な説明】
【技術分野】
【０００１】
この発明は、電子ピアノなどの鍵盤楽器に用いられる鍵盤蓋の開閉装置に関する。
【背景技術】
【０００２】
従来、鍵盤楽器における鍵盤蓋の開閉装置においては、特許文献１に記載されているように、楽器本体内に設けられた鍵盤部を開閉可能に覆う鍵盤蓋を前蓋と後蓋とに分割し、この分割された前蓋と後蓋とを折り畳み可能に連結すると共に、後蓋を楽器ケース内に設けられたガイドレールに沿って楽器本体内の後部側にスライドさせて収納するように構成したものが知られている。
【先行技術文献】
【特許文献】
【０００３】
【特許文献１】特開平０８−３１４４３５号公報  このような鍵盤蓋の開閉装置では、鍵盤楽器を使用しないときに、前蓋と後蓋とを鍵盤部の上側に引き出した状態で、前蓋を後蓋に対して回動させて平坦状に開くことにより、前蓋と後蓋とで鍵盤部の上側を覆い、また鍵盤楽器を使用する際に、前蓋を後蓋上に折り畳んで重ね合わせ、この状態で後蓋を前蓋と共にガイドレールに沿って移動させることにより、鍵盤蓋を楽器本体内の後部側に収納している。
【発明の概要】
【発明が解決しようとする課題】
【０００４】
しかしながら、このような従来の鍵盤蓋の開閉装置においては、鍵盤楽器を使用する際に、前蓋を後蓋上に折り畳んで重ね合わせ、この状態で楽器本体内の後部側に移動させて収納する構成であるから、鍵盤蓋およびその開閉構造が複雑で、鍵盤蓋の開閉作業が面倒であるばかりか、前蓋と後蓋とを折り畳んだ状態で楽器本体内の後部側に収納する構成であるから、楽器本体の奥行きが長くなり、楽器全体が大型化するという問題がある。
【０００５】
この発明が解決しようとする課題は、簡単な構造で、鍵盤蓋の開閉操作が容易にでき、且つ楽器全体の小型化をも図ることができる鍵盤蓋の開閉装置を提供することである。
【課題を解決するための手段】
【０００６】
この発明は、上記課題を解決するために、次のような構成要素を備えている。
請求項１に記載の発明は、楽器本体内に設けられた鍵盤部を開閉自在に覆う鍵盤蓋の開閉装置において、前記鍵盤蓋の後端部に設けられて前記楽器本体内の側面に向けて突出する支持軸と、前記楽器本体内の側面後部にその後部下側に向けて傾斜した状態で設けられて前記支持軸を移動可能にガイドするための軸ガイド部と、前記楽器本体の後端上部に設けられて前記鍵盤蓋の開閉動作をガイドするための蓋ガイド部とを備え、前記軸ガイド部は、その上端部に位置して前記鍵盤蓋を閉じた状態から所定角度に開く際に前記支持軸を回動可能に位置規制する第１支点部と、前記軸ガイド部の下端部に位置して前記鍵盤蓋が前記所定角度に開いて前記支持軸が前記軸ガイド部に沿って斜め後側下部に移動した際に当接して前記支持軸を回動可能に保持し、この状態で前記鍵盤蓋を斜め後方に傾斜させて起立させるための第２支点部とを備えていることを特徴とする鍵盤蓋の開閉装置である。
【０００７】
請求項２に記載の発明は、前記楽器本体の後端部に、前記鍵盤蓋が前記第２支点部に位置する前記支持軸を中心に開く方向に回動して斜め後方に傾斜した状態で起立した際に、前記鍵盤蓋の後端部が当接するストッパ部が設けられていることを特徴とする請求項１に記載の鍵盤蓋の開閉装置である。
【０００８】
請求項３に記載の発明は、前記蓋ガイド部が、前記鍵盤蓋を閉じた状態から前記所定角度に開く際に、前記鍵盤蓋の後部側の内面をガイドしながら前記支持軸を前記軸ガイド部の前記第１支点部に位置規制し、この位置規制された前記支持軸を中心に前記鍵盤蓋を開く方向に回動させるための第１角部と、前記鍵盤蓋が前記所定角度に開いた際に、前記支持軸を前記軸ガイド部に沿って斜め後側下部に移動させて前記軸ガイド部の前記第２支点部に到達させるための傾斜面とを備えていることを特徴とする請求項１または請求項２に記載の鍵盤蓋の開閉装置である。
【０００９】
請求項４に記載の発明は、前記蓋ガイド部が、前記鍵盤蓋を斜め後方に傾斜させて起立させた状態から前記鍵盤蓋が前記軸ガイド部の前記第２支点部に位置する前記支持軸を中心に回動して閉じる際に、前記鍵盤蓋の後部側の内面をガイドしながら前記鍵盤蓋を閉じる方向に回動移動させることにより、斜め上方に向けて徐々に押上げられた前記鍵盤蓋の後部側の内面を前記蓋ガイド部の前記傾斜面に対面させるための第２角部を更に備えていることを特徴とする請求項３に記載の鍵盤蓋の開閉装置である。
【００１０】
請求項５に記載の発明は、前記鍵盤蓋を前記楽器本体に対して開閉する際に、前記鍵盤蓋の開閉動作を制動するためのダンパ装置を更に備えていることを特徴とする請求項１〜請求項４のいずれかに記載の鍵盤蓋の開閉装置である。
【発明の効果】
【００１１】
この発明によれば、鍵盤蓋を閉じた状態から所定角度に開く際に、蓋ガイド部によって軸ガイド部の第１支点部に位置する支持軸を中心に鍵盤蓋を回動させることができ、また鍵盤蓋が所定角度に開くと、支持軸を軸ガイド部に沿って斜め後側下部に移動させて軸ガイド部の第２支点部に当接させるこができ、この状態で第２支点部に位置する支持軸を中心に鍵盤蓋を開く方向に回動させて斜め後方に傾斜させた状態で起立させることができる。
【００１２】
このため、鍵盤蓋を分割する必要がないので、鍵盤蓋の構造が簡単になり、また鍵盤蓋の支持軸を中心に鍵盤蓋を回動させるだけの操作であるから、鍵盤蓋の開閉操作が容易にでき、且つ楽器本体内に鍵盤蓋を収納する必要がないので、楽器本体の奥行きを短くすることができると共に、楽器本体の厚みをも薄くすることができるほか、楽器本体内のスペースが鍵盤蓋による影響をほとんど受けることがないので、楽器全体の大幅な小型化を図ることができる。
【図面の簡単な説明】
【００１３】
【図１】この発明を適用した鍵盤楽器の実施形態１において要部を分解して示した斜視図である。
【図２】図１の鍵盤楽器において鍵盤蓋が閉じた状態を示した拡大断面図である。
【図３】図２の鍵盤楽器において鍵盤蓋の前部側を持ち上げた状態を示した拡大断面図である。
【図４】図３の鍵盤楽器において鍵盤蓋が第１支点部に位置する支持軸を中心に更に開く方向に回動して所定角度に開いた状態を示した拡大断面図である。
【図５】図４の鍵盤楽器において鍵盤蓋が所定角度に開いて後部下側に向けて支持軸と共に移動した状態を示した拡大断面図である。
【図６】図５の鍵盤楽器において鍵盤蓋が第２支点部に位置する支持軸を中心に開く方向に回動する状態を示した拡大断面図である。
【図７】図６の鍵盤楽器において鍵盤蓋が斜め後方に傾いて起立した状態を示した拡大断面図である。
【図８】図７の鍵盤楽器において鍵盤蓋が閉じる方向に回動することにより、鍵盤蓋が斜め前側上方に向けて徐々に押上げられる状態を示した拡大断面図である。
【図９】この発明を適用した鍵盤楽器の実施形態２において要部を分解して示した斜視図である。
【図１０】図９の鍵盤楽器におけるダンパ装置を示した要部の拡大図である。
【図１１】図９の鍵盤楽器において鍵盤蓋が第１支点部に位置する支持軸を中心に回動する際におけるダンパ装置の動作状態を示した拡大図である。
【図１２】図１１の鍵盤楽器において鍵盤蓋が第２支点部に位置する支持軸を中心に回動する際におけるダンパ装置の動作状態を示した拡大図である。
【発明を実施するための形態】
【００１４】
（実施形態１）
以下、図１〜図８を参照して、この発明を鍵盤楽器に適用した実施形態１について説明する。
この鍵盤楽器は、図１および図２に示すように、楽器本体１を備えている。この楽器本体１は、左右両側に位置して脚部を兼ねる一対の側板２（図１および図２では一方のみを示す）と、この一対の側板２間における上部側に設けられた底板３と、この底板３の前端部（図２では右側部）に起立して設けられた前板４と、底板３の後端部（図２では左側部）に起立して設けられた背面板５とを備えている。
【００１５】
これにより、この楽器本体１は、その上部が開放された構成になっている。この楽器本体１の内部には、図１および図２に示すように、鍵盤部６が設けられている。この鍵盤部６は、楽器本体の底板３上に配置された鍵盤シャーシ７と、この鍵盤シャーシ７上に上下方向に回動可能に配列された複数の鍵８と、この複数の鍵８の押鍵操作に応じて各鍵８にそれぞれアクション荷重を付与する複数のハンマー部材９と、複数の鍵８の各押鍵操作に応じてそれぞれスイッチ信号を出力するスイッチ部ＳＷとを備えている。
【００１６】
この場合、複数の鍵８は、図１および図２に示すように、白鍵および黒鍵からなり、これらが音階順に複数配列された構成になっている。複数のハンマー部材９は、図２に示すように、複数の鍵８の下側にそれぞれ対応した状態で、鍵盤シャーシ７にそれぞれ回動可能に取り付けられ、各鍵８の押鍵操作に応じてそれぞれ押し下げられる際に、各ハンマー部材９がその重量に抗してそれぞれ回動することにより、各鍵８にそれぞれアクション荷重を付与するように構成されている。
【００１７】
また、この楽器本体１の上部には、図１および図２に示すように、鍵盤部６を覆って楽器本体１の上部を塞ぐ鍵盤蓋１０が開閉自在に設けられている。すなわち、この鍵盤蓋１０の後部両側には、一対の支持軸１１がそれぞれ取付部材１２を介して取り付けられている。この支持軸１１は、鍵盤蓋１０の後部両側から側方に突出した状態で、楽器本体１の両側に位置する一対の側板２における各内面の上部（図１および図２では一方のみを示す）に位置する箇所にそれぞれ対応するように構成されている。
【００１８】
この側板２の内面上部には、図１および図２に示すように、支持軸１１の先端部が挿入することにより、その支持軸１１を移動可能にガイドする軸ガイド溝１３が、後部下側（図２では左下側）に向けて傾斜した状態で、ほぼ直線的に設けられている。この軸ガイド溝１３には、支持軸１１を回転可能に位置規制するための第１支点部１４と第２支点部１５とが設けられている。第１支点部１４は、軸ガイド溝１３の上端部に位置し、鍵盤蓋１０を閉じた状態から図４に示す所定角度θ（例えば５０°前後）に開く際に、支持軸１１を回転可能に位置規制するように構成されている。
【００１９】
第２支点部１５は、図１および図２に示すように、軸ガイド溝１３の下端部に位置し、鍵盤蓋１０が図５に示す所定角度θ（例えば５０°前後）に開いて支持軸１１が軸ガイド溝１３に沿って斜め後側下部（図５では斜め左下側）に移動した際に、図６および図７に示すように、支持軸１１が当接し、この状態で支持軸１１を回転可能に保持して鍵盤蓋１０を斜め後方（図７では斜め左上側）に傾斜させた状態で起立させるように構成されている。
【００２０】
この場合、楽器本体１の上部、つまり背面板５の後面上部には、図２および図７に示すように、鍵盤蓋１０が第２支点部１５に位置する支持軸１１を中心に開く方向に回動して斜め後方に傾斜した状態で起立した際に、鍵盤部１０の後端部１０ａが当接するストッパ部１６が設けられている。また、楽器本体１の後端上部、つまり背面板５の後端上部（図２では左端上部）における両側には、図１および図２に示すように、鍵盤蓋１０の開閉動作を規制しながらガイドするための一対の蓋ガイド部１７が設けられている。
【００２１】
この蓋ガイド部１７は、図３および図４に示すように、鍵盤蓋１０が閉じた状態から開く際に、鍵盤蓋１０の後部側の内面（図３では下面）をガイドしながら支持軸１１を軸ガイド溝１３の第１支点部１４に位置規制し、この位置規制された支持軸１１を中心に鍵盤蓋１０を開く方向（図３では反時計回り）に回動させ、図４に示すように、鍵盤蓋１０が所定角度θ（例えば５０°前後）に開いた際に、支持軸１１を軸ガイド溝１３に沿って斜め後側下部(図５では斜め左下側)に移動させ、図６に示すように、支持軸１１を軸ガイド溝１３の第２支点部１５に到達させるように構成されている。
【００２２】
また、この蓋ガイド部１７は、図８に示すように、鍵盤蓋１０が斜め後方(図８では斜め左上側)に傾斜して起立した状態から、鍵盤蓋１０が軸ガイド溝１３の第２支点部１５に位置する支持軸１１を中心に回転して閉じる際に、鍵盤蓋１０の後部側の内面をガイドしながら鍵盤蓋１０を閉じる方向（図８では時計回り）に回動移動させることにより、斜め上方に向けて徐々に押上げられた鍵盤蓋１０の後部側の内面を傾斜面１７ｃに対面させ、支持軸１１を軸ガイド溝１３の第２支点部１５から第１支点部１４に向けて移動可能な状態にするように構成されている。
【００２３】
すなわち、この蓋ガイド部１７は、図２〜図８に示すように、鍵盤蓋１０の後部側の内面がほぼ水平な状態で当接する水平部１７ａと、鍵盤蓋１０を開閉する際に鍵盤蓋１０の後部側の内面をガイドしながら回動移動させるための上側角部１７ｂと、鍵盤蓋１０を上下方向に向けて斜めに移動させるための傾斜面１７ｃと、鍵盤蓋１０を開閉する際に鍵盤蓋１０の後部側の内面をガイドしながら回動移動するためのほぼ円弧状の下側角部１７ｄとを備えている。
【００２４】
水平部１７ａは、図２に示すように、鍵盤蓋１０が鍵盤部２を覆って閉じた状態のときに、鍵盤蓋１０の後部側の内面(図２では下面)がほぼ水平な状態で当接して、鍵盤蓋１０の後部側を支持するように構成されている。この場合、鍵盤蓋１０は、図２に示すように、その前側部が側板２の内面に設けられた前受部２ａによって支持されることにより、楽器本体１の上部に配置されて鍵盤部６を覆うように構成されている。
【００２５】
上側角部１７ｂは、図３および図４に示すように、鍵盤蓋１０が鍵盤部２を覆って閉じた状態から開く際に、鍵盤蓋１０の後部側の内面をガイドしながら支持軸１１を軸ガイド溝１３の第１支点部１４に位置規制し、この位置規制された支持軸１１を中心に鍵盤蓋１０を開く方向(図４では反時計回り)に回動させるように構成されている。また、この上側角部１７ｂは、鍵盤蓋１０を閉じる際にも、ほぼ同様に機能する。
【００２６】
傾斜面１７ｃは、図４および図５に示すように、鍵盤蓋１０が所定角度θ（例えば５０°前後）に開いた際に、鍵盤蓋１０の内面（図４では下面）がほぼ平行な状態になることにより、鍵盤蓋１０を斜め後側下部(図５では斜め左下側)に向けて移動させると共に、支持軸１１を軸ガイド溝１３に沿って斜め後側下部に移動させるように構成されている。
【００２７】
この傾斜面１７ｃは、図４および図５に示すように、その傾斜角度が鍵盤蓋１０の所定の開き角度（例えば５０°前後の所定角度θ）とほぼ同じか、それよりも少し小さい角度で傾斜している。これにより、傾斜面１７ｃは、支持軸１１が軸ガイド溝１３に沿って斜め後側下部(図４では斜め左下側)に移動する際に、鍵盤蓋１０の後部側の内面がほとんど接触せずに鍵盤蓋１０を斜め後側下部に移動させるように形成されている。
【００２８】
すなわち、この傾斜面１７ｃは、図２に示すように、上側角部１７ｂ側に位置する上部と第１支点部１４との距離Ｌ１が、支持軸１１と鍵盤蓋１０の内面との距離Ｌよりも少し小さく（Ｌ１＜Ｌ）形成されていると共に、下側角部１７ｄ側に位置する下部と第２支点部１５との距離Ｌ２よりも少し小さく（Ｌ１＜Ｌ２）形成されている。また、下側角部１７ｄ側に位置する下部と第２支点部１５との距離Ｌ２は、支持軸１１と鍵盤蓋１０の内面との距離Ｌとほぼ同じか、それよりも少し小さく（Ｌ２≦Ｌ）形成されている。
【００２９】
これにより、鍵盤蓋１０は、図４および図５に示すように、所定角度θに開いた状態で第１支点部１４に位置する支持軸１１を中心に回動する際に、支持軸１１と鍵盤蓋１０の内面との距離Ｌが上側角部１７ｂ側に位置する上部と第１支点部１４との距離Ｌ１よりも大きく、且つ下側角部１７ｄ側に位置する下部と第２支点部１５との距離Ｌ２が上側角部１７ｂ側に位置する上部と第１支点部１４との距離Ｌ１よりも大きいことにより、鍵盤蓋１０が傾斜面１７ｃにほとんど接触せずに斜め後側下部に向けて移動するように構成されている。
【００３０】
一方、下側角部１７ｄは、図６〜図８に示すように、第２支点部１５に位置する支持軸１１を中心に鍵盤蓋１０が開く方向（図７では反時計回り）に回動する際に、鍵盤部１０の後部側の内面（図７では右側面）をガイドしながら鍵盤蓋１０を回動させて、鍵盤蓋１０の後部側の内面を楽器本体１のストッパ部１６に当接させるように構成されている。
【００３１】
また、この下側角部１７ｄは、図８に示すように、鍵盤蓋１０の後部側の内面が楽器本体１のストッパ部１６に当接して鍵盤蓋１０が斜め後方(図８では斜め左上側)に傾斜して起立した状態から、第２支点部１５に回転可能に保持された支持軸１１を中心に、鍵盤蓋１０を閉じる方向（図８では時計回り）に回動させる際に、鍵盤蓋１０の後部側の内面をガイドしながら、斜め上方に向けて徐々に押上げられた鍵盤蓋１０の後部側の内面を蓋ガイド部１７の傾斜面１７ｃに対面させるように構成されている。
【００３２】
これにより、鍵盤蓋１０は、図８に示すように、第２支点部１５に位置する支持軸１１を中心に閉じる方向（図８では時計回り）に回動すると、斜め上方に向けて徐々に押上げられ、鍵盤蓋１０の後部側の内面が蓋ガイド部１７の傾斜面１７ｃに対面し、この傾斜面１７ｃに沿って斜め上方に移動可能な状態になると共に、支持軸１１が軸ガイド溝１３の第２支点部１５から第１支点部１４に向けて移動可能な状態になるように構成されている。
【００３３】
すなわち、この鍵盤蓋１０は、図５に示すように、鍵盤蓋１０の後部側の内面が蓋ガイド部１７の傾斜面１７ｃに対面すると、上側角部１７ｂ側に位置する上部と第１支点部１４との距離Ｌ１が、下側角部１７ｄ側に位置する下部と第２支点部１５との距離Ｌ２よりも少し小さく（Ｌ１＜Ｌ２）形成されていることにより、蓋ガイド部１７の上側角部１７ｂを中心に閉じる方向に回動可能な状態になり、これにより蓋ガイド部１７の上側角部１７ｂを中心に閉じる方向に回動されると、支持軸１１を軸ガイド溝１３の第２支点部１５から第１支点部１４に向けて移動させるように構成されている。
【００３４】
次に、この鍵盤楽器における鍵盤蓋１０の開閉装置の作用について説明する。
鍵盤蓋１０を閉じた状態から開く場合には、図３に示すように、鍵盤蓋１０の前側を持ち上げる。このときには、図３および図４に示すように、鍵盤蓋１０の後部側の内面が蓋ガイド部１７の上側角部１７ｂにガイドされるので、支持軸１１が軸ガイド溝１３の第１支点部１４に位置規制され、この位置規制された支持軸１１を中心に鍵盤蓋１０が開く方向に回動する。
【００３５】
そして、図５に示すように、鍵盤蓋１０が所定角度θ、例えば５０°前後に開くと、鍵盤蓋１０の後部側の内面が蓋ガイド部１７の傾斜面１７ｃとほぼ平行になるので、支持軸１１が軸ガイド溝１３に沿って斜め後側下部に向けて移動可能な状態になる。これにより、鍵盤蓋１０が斜め後側下部に向けて移動すると共に、支持軸１１が軸ガイド溝１３に沿って斜め下側に向けて移動し、図６に示すように、支持軸１１が第２支点部１５に到達して回転可能に保持される。
【００３６】
この状態で、図７に示すように、支持軸１１を中心に鍵盤蓋１０を反時計回りに回動させて、楽器本体１の後部側に向けて傾ける。すると、鍵盤蓋１０の後端部１０ａが背面板５のストッパ部１６に当接して、鍵盤蓋１０が後方に傾斜した状態で起立する。これにより、鍵盤蓋１０が安定した状態で起立して保持され、楽器本体１の上部が開放されて鍵盤部２が露呈するので、鍵盤部２を操作して良好に演奏することができる。
【００３７】
一方、鍵盤蓋１０を閉じる場合には、図８に示すように、軸ガイド溝１３の第２支点部１５に位置して保持された支持軸１１を中心に、鍵盤蓋１０を時計回りに回動させる。このときには、鍵盤蓋１０の後部側の内面が蓋ガイド部１７の下側角部１７ｄにガイドされながら閉じる方向に向けて回転移動し、鍵盤蓋１０が徐々に押上げられる。
【００３８】
そして、鍵盤蓋１０が所定角度θ、例えば５０°前後に傾くと、鍵盤蓋１０の後部側の内面が蓋ガイド部１７の傾斜面１７ｃに対面する。これにより、鍵盤蓋１０の後部側の内面が蓋ガイド部１７の傾斜面１７ｃに沿って斜め上方に向けて移動可能な状態になると共に、支持軸１１が軸ガイド溝１３に沿って第２支点部１５から第１支点部１４に向けて斜め上方に移動可能な状態になる。
【００３９】
また、このときには、鍵盤蓋１０の後部側の内面が蓋ガイド部１７の傾斜面１７ｃに対面することにより、蓋ガイド部１７の上側角部１７ｂを中心に、鍵盤蓋１０が閉じる方向に回動可能な状態になる。このため、上側角部１７ｂを中心に鍵盤蓋１０を閉じる方向に回動させると、鍵盤蓋１０が徐々に前側に移動しながら、支持軸１１を自動的に軸ガイド溝１３に沿って第２支点部１５から第１支点部１４に向けて斜め上方に移動させる。
【００４０】
そして、鍵盤蓋１０が閉じる方向に回動して、支持軸１１が第１支点部１４に到達すると、図４に示すように、鍵盤蓋１０の後部側の内面が蓋ガイド部１７の上側角部１７ｂにガイドされる状態になるので、支持軸１１が第１支点部１４に位置規制され、この位置規制された支持軸１１を中心に鍵盤蓋１０が閉じる方向に回動可能な状態になる。この状態で、鍵盤蓋１０を更に閉じる方向に回動させると、図２に示すように、鍵盤蓋１０が楽器本体１の上部に配置されて鍵盤部６を覆った状態で楽器本体１の上部を塞ぐ。
【００４１】
このように、この鍵盤蓋１０の開閉装置では、鍵盤蓋１０を閉じた状態から所定角度θに開く際に、蓋ガイド部１７によって支持軸１１が軸ガイド溝１３の第１支点部１４に位置規制され、この位置規制された支持軸１１を中心に鍵盤蓋１０を回動させることができる。また、鍵盤蓋１０が所定角度θに開くと、鍵盤蓋１０を斜め後側下部に向けて移動させることができると共に、支持軸１１を軸ガイド溝１３に沿って斜め後側下部に向けて移動させて軸ガイド溝１３の第２支点部１５に当接させることができる。この状態で、第２支点部１５に位置する支持軸１１を中心に鍵盤蓋１０を開く方向に回動させることにより、鍵盤蓋１０を斜め後方に傾斜させた状態で起立させることができる。
【００４２】
このため、この鍵盤蓋１０の開閉装置によれば、鍵盤蓋１０を前蓋と後蓋とに分割する必要がないので、鍵盤蓋１０の構造が簡単になり、また鍵盤蓋１０の支持軸１１を中心に鍵盤蓋１０を回動させるだけの操作であるから、鍵盤蓋１０の開閉操作が容易にでき、且つ楽器本体１内に鍵盤蓋１０を収納する必要がないので、楽器本体１の奥行きを短くすることができると共に、楽器本体１の上下方向の厚みを薄くすることができるほか、楽器本体１内のスペースが鍵盤蓋１０による影響をほとんど受けることがないので、楽器全体を大幅に小型化することができる。
【００４３】
この場合、楽器本体１の後端部つまり背面板５の後面上部には、鍵盤蓋１０が第２支点部１５に位置する支持軸１１を中心に回動して斜め後方に傾斜した状態で起立した際に、鍵盤部１０の後端部１０ａが当接するストッパ部１６が設けられているので、鍵盤蓋１０が第２支点部１５に位置する支持軸１１を中心に回動して斜め後方に傾斜した状態で起立しても、ストッパ部１６によって安定した状態で鍵盤蓋１０を後方に傾けて起立させることができる。
【００４４】
また、蓋ガイド部１７は、鍵盤蓋１０が鍵盤部２を覆った状態から開く際に、鍵盤蓋１０の後部側の内面をガイドするための上側角部１７ｂを備えているので、この上側角部１７ｂによって支持軸１１を軸ガイド溝１３の第１支点部１４に位置規制することができ、この位置規制された支持軸１１を中心に鍵盤蓋１０を開く方向に回動させることができるので、鍵盤蓋１０を開く方向に安定させた状態で円滑に且つ良好に回動させることができる。
【００４５】
また、この蓋ガイド部１７は、鍵盤蓋１０が所定角度に開いた際に、鍵盤蓋１０を斜め下側に向けて移動させるための傾斜面１７ｃを備えているので、鍵盤蓋１０が所定角度に開いた際に、傾斜面１７ｃに沿って鍵盤蓋１０を斜め下側に向けて移動させることができると共に、支持軸１１を軸ガイド溝１３に沿って斜め後側下部に移動させて軸ガイド溝１３の第２支点部１５に到達させることができ、これにより鍵盤蓋１０を安定した状態で円滑に且つ良好に開くことができる。
【００４６】
さらに、この蓋ガイド部１７は、鍵盤蓋１０が斜め後方に傾斜して起立した状態から鍵盤蓋１０が軸ガイド溝１３の第２支点部１５に位置する支持軸１１を中心に回動して閉じる際に、鍵盤蓋１０をガイドして蓋ガイド部１７の傾斜面１７ｃに対面させるための下側角部１７ｄを更に備えているので、第２支点部１５に位置する支持軸１１を中心に鍵盤蓋１０を閉じる方向に回動させると、鍵盤蓋１０が斜め上方に向けて徐々に押上げられて、鍵盤蓋１０の後部側の内面を蓋ガイド部１７の傾斜面１７ｃに対面させることができる。
【００４７】
このため、鍵盤蓋１０が斜め後方に傾斜して起立した状態で、誤って鍵盤蓋１０が軸ガイド溝１３の第２支点部１５に位置する支持軸１１を中心に閉じる方向に回動して、鍵盤蓋１０が楽器本体１の前側に向けて傾いても、鍵盤蓋１０の後部側の内面を蓋ガイド部１７の傾斜面１７ｃに当接させることができるので、鍵盤蓋１０が勝手に楽器本体１の上部に倒れるのを防ぐことができ、これにより安全性の高いものを提供することができる。
【００４８】
また、鍵盤蓋１０の後部側の内面が蓋ガイド部１７の傾斜面１７ｃに対面した際には、蓋ガイド部１７の傾斜面１７ｃの上部に位置する上側角部１７ｂが、鍵盤蓋１０を閉じる方向にガイドする状態になるので、上側角部１７ｂを中心に鍵盤蓋１０を閉じる方向に回動させると、鍵盤蓋１０が徐々に前側に移動しながら、支持軸１１を自動的に軸ガイド溝１３に沿って第２支点部１５から第１支点部１４に向けて移動させることができる。これにより、鍵盤蓋１０を閉じる際に鍵盤蓋１０を安定した状態で円滑に且つ良好に閉じることができる。
【００４９】
（実施形態２）
次に、図９〜図１２を参照して、この発明を鍵盤楽器に適用した実施形態２について説明する。なお、図１〜図８に示された実施形態１と同一部分には同一符号を付して説明する。
この鍵盤楽器における鍵盤蓋１０の開閉装置は、図１０に示すように、鍵盤蓋１０を開閉する際に、鍵盤蓋１０の開閉動作を制動するダンパ装置２０を備えた構成であり、これ以外は実施形態１とほぼ同じ構成になっている。
【００５０】
すなわち、このダンパ装置２０は、図９および図１０に示すように、ダンパ部材２１と、このダンパ部材２１内に制動可能に設けられたダンパ軸２２と、このダンパ軸２２に取り付けられたダンパ歯車２３と、鍵盤蓋１０の支持軸１１に設けられてダンパ歯車２３に噛み合う従動歯車２４とを備え、ダンパ軸２２に負荷を加えてダンパ歯車２３の回転を制動することにより、従動歯車２４および支持軸１１の回転を制動して鍵盤蓋１０の開閉動作を制動するように構成されている。
【００５１】
この場合、ダンパ部材２１は、図９および図１０に示すように、楽器本体１の側板２の内面に取付軸２６によって上下方向に回動可能に取り付けられた支持アーム部２５に取り付けられ、この状態でダンパ歯車２３が支持軸１１の従動歯車２４に噛み合うように構成されている。また、従動歯車２４は、扇形状に形成され、鍵盤蓋１０に設けられた支持軸１１に固定されている。さらに、ダンパ部材２１のダンパ軸２２と支持軸１１とは、図９および図１０に示すように、連結部材２７によって連結されている。
【００５２】
これにより、ダンパ装置２０は、図１１および図１２に示すように、鍵盤蓋１０が開閉する際に、その開閉動作に応じて従動歯車２４が回転すると、その回転によってダンパ歯車２３が制動されながら回転すると共に、鍵盤蓋１０の支持軸１１が軸ガイド溝１３に沿って斜め下側に向けて移動する際に、連結部材２７によって保持アーム部２５が取付軸２６を中心に上下方向に回動することにより、ダンパ歯車２３と従動歯車２４とが常に噛み合って回転するように構成されている。
【００５３】
次に、この鍵盤蓋１０の開閉装置の作用について説明する。
鍵盤蓋１０を閉じた状態から鍵盤蓋１０の前側を持ち上げて開く場合には、図１１に示すように、鍵盤蓋１０が蓋ガイド部１７によってガイドされながら軸ガイド溝１３の第１支点部１４に位置する支持軸１１を中心に回転する。このときには、支持軸１１と共に従動歯車２４が回転し、その回転がダンパ部材２１のダンパ歯車２３に伝達され、このダンパ歯車２３のダンパ軸２２が制動されることにより、鍵盤蓋１０の回動動作が制動される。
【００５４】
そして、鍵盤蓋１０が所定角度θ、例えば５０°前後に開くと、実施形態１と同様、鍵盤蓋１０の後部側の内面が蓋ガイド部１７の傾斜面１７ｃとほぼ平行になるので、鍵盤蓋１０が斜め後側下部に向けて移動すると共に、支持軸１１が軸ガイド溝１３に沿って斜め後側下部に向けて移動する。これにより、支持軸１１が軸ガイド溝１３の第２支点部１５に到達し、この支持軸１１が第２支点部１５に回転可能に保持される。
【００５５】
このときには、図１２に示すように、ダンパ歯車２３と従動歯車２４とが噛み合った状態で、連結部材２７が保持アーム部２５を下側に向けて移動させる。この状態で、第２支点部１５に保持された支持軸１１を中心に鍵盤蓋１０を反時計回りに回動させて後部側に向けて傾ける。このときにも、支持軸１１と共に従動歯車２４が回転し、その回転がダンパ部材２１のダンパ歯車２３に伝達され、このダンパ歯車２３のダンパ軸２２が制動されることにより、鍵盤蓋１０の回動動作が制動される。
【００５６】
そして、鍵盤蓋１０の後端部１０ａが背面板５のストッパ部１６に当接すると、鍵盤蓋１０が後方に傾斜した状態で起立する。これにより、鍵盤蓋１０が安定した状態で後方に傾いて起立すると共に、楽器本体１の上部が開放されて鍵盤部２が露呈するので、実施形態１と同様、鍵盤部２を操作して良好に演奏することができる。
【００５７】
また、鍵盤蓋１０を閉じる場合には、軸ガイド溝１３の第２支点部１５に保持された支持軸１１を中心に、鍵盤蓋１０を時計回りに回動させると、図１２に示すように、鍵盤蓋１０の後部側の内面が蓋ガイド部１７の下側角部１７ｄにガイドされて閉じる方向に向けて回転移動する。このときにも、支持軸１１と共に従動歯車２４が回転し、その回転がダンパ部材２１のダンパ歯車２３に伝達され、このダンパ歯車２３のダンパ軸２２が制動されることにより、鍵盤蓋１０の回動動作が制動される。
【００５８】
この後、鍵盤蓋１０が所定角度θ、例えば５０°前後に傾くと、鍵盤蓋１０の後部側の内面が蓋ガイド部１７の傾斜面１７ｃに対面するので、実施形態１と同様、蓋ガイド部１７の上側角部１７ｂを中心に、鍵盤蓋１０を閉じる方向に回動させると、支持軸１１が軸ガイド溝１３に沿って第２支点部１５から第１支点部１４に向けて斜め上方に移動する。このときには、ダンパ歯車２３と従動歯車２４とが噛み合った状態で、連結部材２７が保持アーム部２５を上側に向けて移動させる。
【００５９】
そして、支持軸１１が第１支点部１４に到達すると、この第１支点部１４に位置する支持軸１１を中心に鍵盤蓋１０が閉じる方向に回動する。このときにも、支持軸１１と共に従動歯車２４が回転し、その回転がダンパ部材２１のダンパ歯車２３に伝達され、このダンパ歯車２３のダンパ軸２２が制動されることにより、鍵盤蓋１０の回動動作が制動される。これにより、図２に示したように、鍵盤蓋１０が楽器本体１の上部に配置されるので、鍵盤蓋１０が鍵盤部２を覆った状態で楽器本体１の上部を塞ぐ。
【００６０】
このように、この鍵盤蓋１０の開閉装置によれば、実施形態１と同様の作用効果があるほか、鍵盤蓋１０を開閉する際に、鍵盤蓋１０の開閉動作を制動するためのダンパ装置２０を備えているので、鍵盤蓋１０を開閉する際に、ダンパ装置２０によって鍵盤蓋１０が急激に開閉動作するのを防ぐことができるので、実施形態１よりも安全に鍵盤蓋１０を開閉することができる。
【００６１】
すなわち、ダンパ装置２０は、ダンパ部材２１と、このダンパ部材２１内に制動可能に設けられたダンパ軸２２と、このダンパ軸２２に取り付けられたダンパ歯車２３と、鍵盤蓋１０の支持軸１１に設けられてダンパ歯車２３に噛み合う従動歯車２４とを備えているので、ダンパ軸２２に負荷を加えてダンパ歯車２３の回転を制動することにより、従動歯車２４および支持軸１１の回転を制動することができ、これにより鍵盤蓋１０の回動動作を確実且つ良好に制動することができる。
【００６２】
なお、前述した実施形態２では、鍵盤蓋１０を開くときにも閉じるときにも、ダンパ装置２０が鍵盤蓋１０の回動動作を制動するように構成した場合について述べたが、これに限らず、鍵盤蓋１０を閉じるときにダンパ装置２０が鍵盤蓋１０の回動動作を制動するように、ダンパ部材２１のダンパ軸２２に一方向のみの負荷を加えた構成にしても良い。このように構成すれば、鍵盤蓋１０を閉じるときに鍵盤蓋１０の回動動作を制動することができるので、閉じるときに鍵盤蓋１０を安全に閉じることができると共に、鍵盤蓋１０を軽い力で容易に開くことができ、これにより使い勝手の良いものを提供することができる。
【００６３】
また、前述した実施形態２では、ダンパ装置２０が鍵盤蓋１０の支持軸１１の回転動作を制動するように構成した場合について述べたが、これに限らず、例えば取付軸２６を中心に支持アーム部２５が上下方向に回動する際に、その支持アーム部２５の上下方向の回動を制動するためのばね部材などのダンパ部材を設けて、鍵盤蓋１０の支持軸１１が軸ガイド溝１３に沿って移動して鍵盤蓋１０が上下方向に斜めに移動する際に、その移動動作をも制動するように構成しても良い。
【００６４】
さらに、前述した実施形態１、２では、鍵盤蓋１０の支持軸１１をガイドする軸ガイド溝１３が後部下側に向けて直線的に傾斜し、これに伴って蓋ガイド部１７の傾斜面１７ｃも平面的に形成されている場合について述べたが、これに限らず、軸ガイド溝を後部側に向けて凸となるように湾曲させて形成し、これに伴って蓋ガイド部１７の傾斜面１７ｃも後側に向けて凸となる湾曲面に形成した構成であっても良い。このように構成すれば、鍵盤蓋１０の支持軸１１が軸ガイド溝に沿って移動する際に、鍵盤蓋１０を円滑に且つ良好に移動させることができる。
【００６５】
さらに、前述した実施形態１、２では、押鍵操作時に各鍵８にそれぞれアクション荷重を付与する複数のハンマー部材９を備えた鍵盤楽器に適用した場合について述べたが、必ずしもハンマー部材９を備えた鍵盤楽器である必要はなく、ハンマー部材９を用いない簡易型の鍵盤楽器にも広く適用することができる。
【符号の説明】
【００６６】
１  楽器本体
２  側板
３  底板
４  前板
５  背面板
６  鍵盤部
１０  鍵盤蓋
１０ａ  鍵盤蓋の後端部
１１  支持軸
１３  軸ガイド溝
１４  第１支点部
１５  第２支点部
１６  ストッパ部
１７  蓋ガイド部
１７ａ  水平部
１７ｂ  上側角部
１７ｃ  傾斜面
１７ｄ  下側角部
２０  ダンパ装置
２１  ダンパ部材
２２  ダンパ軸
２３  ダンパ歯車
２４  従動歯車
２５  支持アーム部
２７  連結部材
【図１】
2010286634.tif 000003
【図２】
2010286634.tif 000004
【図３】
2010286634.tif 000005
【図４】
2010286634.tif 000006
【図５】
2010286634.tif 000007
【図６】
2010286634.tif 000008
【図７】
2010286634.tif 000009
【図８】
2010286634.tif 000010
【図９】
2010286634.tif 000011
【図１０】
2010286634.tif 000012
【図１１】
2010286634.tif 000013
【図１２】
2010286634.tif 000014